(57)【特許請求の範囲】
【請求項１】
被搬送媒体が載置される載置面を有する載置部材と、
上記載置部材の上記載置面に設けられ、載置される被搬送媒体と当接し、上記載置面よりも摩擦係数の高い摩擦パッドと、
上記摩擦パッドに当接可能であり、上記載置面に載置された被搬送媒体を給送向きへ送り出す給送ローラと、を備え、
上記摩擦パッドは、上記給送ローラ側の面において上記給送向きへ延びるスリットを有し、
上記載置部材は、上記載置面から凹んだ凹部を有し、
上記摩擦パッドは、上記凹部に設けられ、
上記給送向きの上流側であって、その表面が上記載置面よりも凹んで配置された第１端部と、
上記給送向きの下流側であって、その表面が上記載置面より突出して配置されており、上記給送ローラが当接する第２端部と、を有しており、上記給送向きに沿って湾曲又は屈曲されたものであり、
上記凹部は、
上記載置面より凹み上記載置面に対して傾斜し上記摩擦パッドの上記第１端部が配置される第１面と、
上記第１面に連続して上記載置面に沿い上記摩擦パッドの上記第２端部が配置される第２面と、を有するものである搬送装置。
【請求項２】
上記スリットは、上記給送ローラ側の面からその反対面に渡って設けられたものである請求項１に記載の搬送装置。
【請求項３】
上記スリットは、上記給送向きと交差する方向に並んで複数設けられたものである請求項１又は２に記載の搬送装置。
【請求項４】
上記スリットは、上記給送向きに沿った第１方向の両端より内側に設けられたものである請求項１から３のいずれかに記載の搬送装置。
【請求項５】
上記スリットは、上記給送向きに沿った第１方向の両端に設けられたものである請求項１から３のいずれかに記載の搬送装置。
【請求項６】
上記摩擦パッドは矩形状であり、
上記給送ローラ側の面にて１８０度回転対称形状となるよう上記スリットが形成されたものである請求項１から５のいずれかに記載の搬送装置。
【請求項７】
請求項１から６のいずれかに記載の搬送装置と、
上記搬送装置により搬送された被搬送媒体に画像を記録する記録部と、
上記記録部を収容し、且つ上記給送向きと逆向きへ上記載置部が引き出し可能に設けられた筐体と、を備えた画像記録装置。
【発明の詳細な説明】
【技術分野】
【０００１】
本発明は、被搬送媒体を搬送する搬送装置、及びこの搬送装置により搬送された被搬送媒体に画像を記録する画像記録装置に関する。
【背景技術】
【０００２】
従来より、被搬送媒体を搬送する搬送装置が提供されている。搬送装置は、被搬送媒体に画像を記録する画像記録装置や、被搬送媒体の画像をデータとして取り込む画像取込装置に用いられる。
【０００３】
この種の搬送装置には、被搬送媒体が載置される載置面を有する載置部材と、この載置部材の載置面側に配置された給送ローラと、を備え、この給送ローラが載置面に接離するように給送ローラ又は載置部材が移動可能に設けられた構成を有するものがある。被搬送媒体に当接する給送ローラが回転されることにより被搬送媒体が送り出される。
【０００４】
載置部材に載置された被搬送媒体の数量が少ない場合において被搬送媒体が載置面上を滑ると、複数枚の被搬送媒体が同時に送り出される重送が生じる。
【０００５】
そういった重送を防止するために、給送ローラと共にパッドで被搬送媒体を挟むことで重送を防止する搬送装置がある（例えば、特許文献１参照）。特許文献１に記載された搬送装置では、パッドは、板状に形成されており、パッドホルダに設けられた凹所に収容されている。パッドには、給送ローラの回転軸に沿う方向、すなわち、給送方向と交差する方向に延びる切れ込みが設けられている。
【先行技術文献】
【特許文献】
【０００６】
【特許文献１】特開平０９−２０２４７４号公報
【発明の概要】
【発明が解決しようとする課題】
【０００７】
しかしながら、特許文献１に記載された技術では、載置部材に載置された被搬送媒体が全て送り出された場合は、給送ローラがパッドに直接当たる。その場合、パッドには給送方向と交差する方向に切れ込みが延びているため、その切れ込みによって生じた角（エッジ）と給送ローラとが接触し、当該角からパッドが削れてしまう虞がある。
【０００８】
本発明は、上記問題に鑑み、パッドが削れることを抑制できる搬送装置及びこの搬送装置を備えた画像記録装置を提供することを目的とする。
【課題を解決するための手段】
【０００９】
(1)  本発明の搬送装置は、被搬送媒体が載置される載置面を有する載置部材と、この載置部材の上記載置面に設けられ、載置される被搬送媒体と当接し、上記載置面よりも摩擦係数の高い摩擦パッドと、この摩擦パッドに当接可能であり、上記載置面に載置された被搬送媒体を給送向きへ送り出す給送ローラと、を備えている。上記摩擦パッドは、上記給送ローラ側の面において上記給送向きへ延びるスリットを有している。
【００１０】
本発明では、上記スリットが上記給送向きに延びるように形成されているから、上記スリットにより上記摩擦パッドに形成された角が上記給送ローラによって削られることを抑制することができる。
【００１１】
(2)  上記スリットは、上記給送ローラ側の面からその反対面に渡って設けられていることが望ましい。上記スリットにより内部応力が上記摩擦パッド全体に作用することを抑制して上記摩擦パッドが上記載置部材から脱落することを抑制でき、上記スリットが上記給送ローラ側の面からその反対面に渡って設けられていることにより、上記摩擦パッドが上記載置部材から脱落することを抑制できる効果を高めることができる。
【００１２】
(3)  上記スリットは、上記給送向きと交差する方向に並んで複数設けられていることが望ましい。内部応力が上記パッド全体に作用することを抑制する効果を更に高めることができるからである。
【００１３】
(4)  上記スリットは、上記給送向きに沿った第１方向の両端より内側に設けられていることが望ましい。上記摩擦パッドの取り扱いが容易になるからである。
【００１４】
(5)  上記スリットは、上記給送向きに沿った第１方向の両端に設けられていることが望ましい。上記摩擦パッドが上記載置部材から脱落することを抑制できる効果を高めることができるからである。
【００１５】
(6)  上記摩擦パッドは矩形状であり、上記給送ローラ側の面にて１８０度回転対称形状となるよう上記スリットが形成されていることが望ましい。上記摩擦パッドを上記載置部材に取り付ける際に取付方向を間違えることが防止されるからである。
【００１６】
(7)  上記載置部材は、上記載置面から凹んだ凹部を有している。上記摩擦パッドは、上記凹部に設けられ上記給送向きの上流側であってその表面が上記載置面よりも凹んで配置された第１端部と、上記給送向きの下流側であってその表面が上記載置面より突出して配置されており上記給送ローラが当接する第２端部と、を有しており、上記給送向きに沿って湾曲又は屈曲されている。上記給送向きにおいて上記載置面上を滑らせて被搬送媒体を上記載置部材に補給する際に、被搬送媒体が上記摩擦パッドで引っ掛かることを防止することができる。
【００１７】
(8)  上記凹部は、上記載置面より凹み上記載置面に対して傾斜し上記摩擦パッドの上記第１端部が配置される第１面と、上記第１面に連続し且つ上記載置面に沿い上記摩擦パッドの上記第２端部が配置される第２面と、を有することが望ましい。上記第２面が上記載置面に沿うことで被搬送媒体と上記摩擦パッドとの接触面が上記載置面に沿うことになり、上記給送ローラによる被搬送媒体の給送が安定するからである。
【００１８】
(9)  本発明の画像記録装置は、上記第１端部及び上記第２端部を有する上記摩擦パッドを備えた搬送装置と、この搬送装置により搬送された被搬送媒体に画像を記録する記録部と、この記録部を収容し、且つ上記給送向きと逆向きへ上記載置部が引き出し可能に設けられた筐体と、を備えている。本発明の画像記録装置は、上記載置部が引き出される側から被搬送媒体が上記載置部に補給される際に、被搬送媒体が上記摩擦パッドで引っ掛かることを防止することができる。
【発明の効果】
【００１９】
本発明の搬送装置及び画像記録装置は、上記給送向きへ延びるスリットが上記パッドに設けられたことにより、上記給送ローラによって上記摩擦パッドが削られることを抑制することができる。
【００２０】
本発明の画像記録装置は、上記載置部が引き出される側から被搬送媒体が上記載置部に補給される際に、被搬送媒体が上記パッドで引っ掛かることを防止することができる。
【図面の簡単な説明】
【００２１】
【図１】画像記録装置の斜視図である。
【図２】画像記録装置の模式的な断面図である。
【図３】蓋が開かれた状態における給紙カセットの斜視図である。
【図４】蓋が閉じられた状態における給紙カセットの平面図である。
【図５】（Ａ）は、図４におけるＡＡ断面図であり、（Ｂ）は、（Ａ）のＢ部の拡大図であり、（Ｃ）は、給送ローラがない状態におけるＢ部の拡大図である。
【図６】（Ａ）〜（Ｃ）は、それぞれ、収容凹所に貼り付けられる前の状態の摩擦パッドの斜視図であり、（Ｄ）は、（Ｂ）におけるＡＡ断面図である。
【発明を実施するための形態】
【００２２】
以下、適宜図面が参照されて本発明の実施形態が説明される。本実施形態では、図２に示された給紙カセット１４と、この給紙カセット１４に収容された被記録媒体１５を送り出す給送機構２０と、を備えた搬送装置が図１の画像記録装置１０に用いられた例が説明される。被記録媒体１５は、請求項に記載の被搬送媒体に相当する。
【００２３】
図１に示されたように、画像記録装置１０は、外形が概ね直方体状となる形状に形成されている。画像記録装置１０の高さ方向が上下方向７と定義され、奥行き方向が前後方向８と定義され、幅方向が左右方向９と定義され、以下説明がされる。
【００２４】
［画像記録装置１０の概略構成］
図１に示されたように、画像記録装置１０は、プリンタ筐体１１と、このプリンタ筐体１１の上面に載置されたスキャナ筐体１２と、このスキャナ筐体１２の上面に載置された原稿カバー１３と、を備えている。つまり、画像記録装置１０は、印刷機能、スキャン機能、コピー機能等を有する、いわゆる複合機である。プリンタ筐体１１は請求項に記載の筐体に相当する。
【００２５】
プリンタ筐体１１は、給紙カセット１４が出し入れされる開口１１Ａを前面の下部に備えている。また、プリンタ筐体１１は、給紙カセット１４を前後方向８に沿ってスライド可能に支持する不図示のガイドレールを備えている。図１には、給紙カセット１４がプリンタ筐体１１から引き出された状態が示されている。給紙カセット１４は、プリンタ筐体１１から取り外せるように設けられてもよいし、取り外せないように設けられてもよい。給紙カセット１４は請求項に記載の載置部材に相当する。
【００２６】
また、プリンタ筐体１１は、図２に示されているように、給紙カセット１４に収容された被記録媒体１５を送り出す給送機構２０と、この給送機構２０により送り出された被記録媒体１５を搬送する搬送機構３０と、この搬送機構３０により搬送される被記録媒体１５に画像を記録する記録部４０と、を収容している。この記録部４０や給送機構２０や搬送機構３０やスキャナは、不図示の駆動部により駆動される。この駆動部は、複数個のモータと、このモータの駆動力を搬送機構３０等に伝達する駆動伝達機構と、を備えている。被記録媒体１５は、例えば、記録用紙や光沢紙や葉書などである。
【００２７】
スキャナ筐体１２は、原稿カバー１３を開閉可能に支持している。スキャナ筐体１２は、載置された不図示の原稿を原稿カバー１３と共に挟んで保持する。保持された原稿の画像は、スキャナ筐体１２に収容されたフラットベッドスキャナなどにより走査され、画像データとして取り込まれる。スキャナ、搬送機構３０及び記録部４０の制御は、不図示の制御部により行われる。制御部は、例えば、基板に実装されたマイコンなどの電子部品により実現される。制御部は、図１に示された入力部１６やパソコンなどの外部機器から入力された情報によりスキャナや給送機構２０や搬送機構３０や記録部４０の動作を制御して、画像の取り込みや画像の記録を行う。
【００２８】
［給送機構２０］
図２及び図５に示されたように、給送機構２０は、プリンタ筐体１１に固定されたフレームなどに回転可能に支持された回転軸２１と、この回転軸２１に一端が支持されたアーム２２と、このアーム２２の他端に回転可能に支持された左右一対の給送ローラ２３と、を備えている。回転軸２１は、左右方向９に沿って延びる棒状に形成され、駆動部により回転される。
【００２９】
アーム２２は、回転軸２１を中心に回動可能に回転軸２１に一端が支持されている。従って、給送ローラ２３が取り付けられたアーム２２の他端は、回転軸２１を中心としたアーム２２の回動により上下に変位する。つまり、給送ローラ２３は上下に変位可能に設けられている。アーム２２は、自重又は付勢ばねによって下方に付勢されており、後述されるように、給紙カセット１４がプリンタ筐体１１（図１参照）に脱着される際に、給紙カセット１４の本体５０の右の側壁５２に設けられた傾斜面５２Ａに摺接することで回動する。アーム２２が回動することで、給送ローラ２３は、下方に配置された後述の摩擦パッド９０と当接する第１姿勢及び摩擦パッド９０の上方に位置して摩擦パッド９０から離間する第２姿勢に姿勢変化する。その結果、給送機構２０に阻害されることなく給紙カセット１４をスライドさせることができる。
【００３０】
給紙カセット１４に被記録媒体１５（図２参照）が収容されている場合は、給紙カセット１４がプリンタ筐体１１に装着されると、アーム２２の回動により下方に移動した給送ローラ２３は、被記録媒体１５に載り、被記録媒体１５に支持される。つまり、給送ローラ２３は、給紙カセット１４に載置された被記録媒体１５の数量に関わりなく最上位の被記録媒体１５に当接する。給送ローラ２３は、請求項に記載の給送ローラに相当する。
【００３１】
給送ローラ２３は、アーム２２に取り付けられた複数個の伝達ギア２４（図５参照）により回転軸２１の回転が伝達されることで回転する。制御部は、被記録媒体１５（図２参照）が後方に送り出される向きにモータを介して給送ローラ２３を回転させる。被記録媒体１５が送り出される向きである後向きは、請求項に記載の給送向きに相当する。前後方向８は、請求項に記載の給送方向に相当する。後方に送り出された被記録媒体１５は、以下に説明される搬送機構３０により搬送される。
【００３２】
［搬送機構３０］
搬送機構３０は、図２に示されたように、搬送路３１と、搬送ローラ対３２及び排紙ローラ対３５と、を備えている。搬送路３１は、複数個のガイド部材３８及びプラテン３９により形成されている。搬送路３１は、給紙カセット１４の後端を起点に、給紙カセット１４の上方に向かって湾曲した後、前方に向かって直線状に延びるように形成されている。プラテン３９は、給紙カセット１４の上方に配置されており、直線状に延びる部分の一部を形成している。
【００３３】
［搬送ローラ対３２、排紙ローラ対３５］
図２に示されたように、搬送ローラ対３２は、駆動部により回転される駆動ローラ３３と、この駆動ローラ３３に従動する従動ローラ３４と、を備えている。排紙ローラ対３５は、駆動部により回転される駆動ローラ３６と、この駆動ローラ３６に従動する従動ローラ３７と、を備えている。搬送ローラ対３２は、プラテン３９の後方に配置されている。排紙ローラ対３５は、プラテン３９の前方に配置されている。搬送ローラ対３２の駆動ローラ３３及び排紙ローラ対３５の駆動ローラ３６は、制御部により、被記録媒体１５を前方に向かって搬送する向きに回転される。被記録媒体１５は、搬送ローラ対３２と排紙ローラ対３５との少なくとも一方によりプラテン３９上を搬送され、以下に説明される記録部４０により画像が記録される。
【００３４】
［記録部４０］
図２に示されたように、記録部４０は、ヘッド４１及びキャリッジ４２を備え、プラテン３９の上方に配置されている。ヘッド４１はインクを吐出し、プラテン３９上を搬送される被記録媒体１５に画像を記録する。記録部４０は、請求項に記載の記録部に相当する。
【００３５】
ヘッド４１は、キャリッジ４２に保持されている。このキャリッジ４２は、不図示のガイドレールなどによって左右方向９に沿って移動可能にプリンタ筐体１１に支持されており、駆動部により移動される。記録部４０の左右方向９に沿った移動と被記録媒体１５の前向きの搬送とにより、記録部４０は、被記録媒体１５のほぼ全面に画像を記録することができる。記録部４０の移動は制御部により制御される。制御部は、駆動部を介して搬送ローラ対３２及び排紙ローラ対３５を断続的に駆動し、プラテン３９上において被記録媒体１５を断続的に移動させる。制御部は、被記録媒体１５の移動の停止期間中にヘッド４１にインクを吐出させ、被記録媒体１５に画像を記録する。制御部は、排紙ローラ対３５を回転させて画像記録後の被記録媒体１５を給紙カセット１４の蓋６０に排出する。なお、インクを吐出するインクジェット記録方式の記録部４０に代えて、電子写真印刷方式の記録部が用いられてもよい。
【００３６】
［給紙カセット１４］
給紙カセット１４は、合成樹脂成型品である本体５０及び蓋６０を備えている。本体５０は、上部が開口する扁平な直方体状に形成されている。被記録媒体１５は、本体５０の底５１の上面である載置面５１Ａに載置される。載置面５１Ａは、請求項に記載の載置面に相当する。
【００３７】
本体５０の後壁５３は、底５１の後端から後方斜め上に向かって延びるように底５１に対して傾斜している。上述の給送機構２０（図２参照）により送り出される被記録媒体１５は、後壁５３の内側面に摺接することで後方斜め上に向かう。すなわち、後壁５３は、被記録媒体１５を搬送路３１（図２参照）に案内する機能を有している。
【００３８】
後壁５３の内側面からは、複数個の分離突片５３Ａが突出している。給送ローラ２３により送り出される被記録媒体１５の搬送向きにおける先端が分離突片５３Ａに当接する。複数の被記録媒体１５が重なっていた場合、下側の被記録媒体１５の上記先端が分離突片５３Ａに当たることで、上側の被記録媒体１５から下側の被記録媒体１５が分離する。
【００３９】
本体５０の左右の側壁５２は、蓋６０が回動可能となるよう蓋６０の後端部を回動可能に支持する支持部を、前後方向８における中央部の前方側に備えている。蓋６０は、支持部よりも前方側の上方に配置され、本体５０の側壁５２に下方から支持されている。ユーザは、蓋６０を開き、給紙カセット１４の前側から被記録媒体１５を給紙カセット１４に補給する。
【００４０】
図２に示されたように、本体５０の底５１は、前後方向８における後方側であって、左右方向９における中央の載置面５１Ａ側に収容凹所８０を備えている。収容凹所８０には矩形板状に形成された後述の摩擦パッド９０が曲げて貼り付けられている。図５（Ｂ），（Ｃ）に示されたように、収容凹所８０は、摩擦パッド９０の厚み寸法よりも小さい深さ寸法の後部８１と、前方側が上記厚み寸法よりも大きい深さ寸法の前部８２と、を備えている。後部８１の内底面８１Ａは、載置面５１Ａとほぼ平行である。前部８２の内底面８２Ａは、内底面８１Ａに連続して形成され、内底面８１Ａとの境界よりも前方が下がるように載置面５１Ａに対して傾斜している。収容凹所８０は、給送ローラ２３の下方に設けられている。収容凹所８０は、請求項に記載の凹部に相当する。また、内底面８１Ａは請求項に記載の第２面に相当し、内底面８２Ａは請求項に記載の第１面に相当する。
【００４１】
摩擦パッド９０は、例えば、ゴムや、コルクや、コルク片を練り込んだゴムにより形成され、合成樹脂成型品である本体５０の載置面５１Ａよりも、被記録媒体１５との間の静止摩擦係数が大きい。摩擦パッド９０は、例えば、厚み方向に対向する両面の一方（裏面）に貼り付けられた両面接着シートや、当該裏面に塗布された接着剤により収容凹所８０の内底面８１Ａ，８２Ａに貼り付けられる。摩擦パッド９０は、請求項に記載の摩擦パッドに相当する。
【００４２】
摩擦パッド９０は、収容凹所８０の内底面８１Ａ及び内底面８２Ａに貼り付けられることで、内底面８１Ａ及び内底面８２Ａに沿い、前後方向８において屈曲した形状となっている。上述のように収容凹所８０の後部８１の深さ寸法は摩擦パッド９０の厚み寸法よりも小さく設定されているから、摩擦パッド９０の後端部９１は、載置面６１よりも上方に上面が位置し、給送ローラ２３と当接可能である。また、収容凹所８０の前部８１の深さ寸法は、摩擦パッド９０の厚み寸法よりも大きく設定されているから、摩擦パッド９０の前端部９１は、載置面６１よりも下方に位置する。前端部９２が載置面５１Ａよりも下方に位置するから、ユーザが蓋６０を開けて前方から被記録媒体１５を給紙カセット１４補給する際に、摩擦パッド９０が被記録媒体１５の先端に引っ掛かり難い。
【００４３】
また、摩擦パッド９０は、前端、後端及び左右の両端が収容凹所８０の周壁に当接する大きさに形成されており、当該周壁により位置決めされている。摩擦パッド９０の前端部９２は請求項に記載の第１端部に相当し、摩擦パッド９０の後端部９１は請求項に記載の第２端部に相当する。給送ローラ２３は、アーム２２により上下に移動されることで、摩擦パッド９０の後部の上面である当接面９３と接触する。載置面５１Ａに被記録媒体１５が載置されているときは、給送ローラ２３は、被記録媒体１５と接触する。当接面９３が載置面５１Ａとほぼ平行であるから、給送ローラ２３で安定して被記録媒体１５を送り出すことができる。
【００４４】
摩擦パッド９０の表面側（図５における上面側）には、被記録媒体１５の給送方向である前後方向８に沿って延びる複数本のスリット９４が設けられている。つまり、各スリット９４は、左右方向９に沿って並んでいる。スリット９４が延びる前後方向８は請求項に記載の第１方向に相当する。また、スリット９４が並ぶ左右方向９は、請求項に記載の「給送方向と交差する方向」に相当する。スリット９４が摩擦パッド９０に形成されていることにより、摩擦パッド９０に加えられた外力により摩擦パッド９０に作用する内部応力は、摩擦パッド９０全体に伝わることが抑えられ、摩擦パッド９０が全体として剥がれ難くなる。
【００４５】
スリット９４は、切れ込みや、細長い隙間である。本実施形態では、スリット９４は、図６（Ａ）に示されているように切れ込みであり、摩擦パッド９０を厚み方向に貫通しないように形成されている。但し、スリット９４は、図６（Ｂ）及び図６（Ｄ）に示されているように、摩擦パッド９０を貫通するように形成されていてもよい。スリット９４が摩擦パッド９０を貫通している方が、摩擦パッド９０全体に内部応力が伝わることを抑制する効果がより高くなる。
【００４６】
また、スリット９４は、図６（Ａ）に示されているように、前後方向８における摩擦パッド９０の両端に渡って設けられてもよいし、前後方向８における摩擦パッド９０の両端部を除く部分に設けられていてもよし、図６（Ｃ）に示されているように、当該両端部に設けられてもよい。図６（Ｂ），（Ｃ）の形状の場合は、摩擦パッド９０を貫通するようにスリット９４を設けることができる。スリット９４は、請求項に記載のスリットに相当する。摩擦パッド９０の屈曲方向である前後方向８に沿ってスリット９４が形成されているから、スリット９４により形成されるエッジが露出し難い。なお、スリット９４の数や、隣り合う２つのスリット９４間の距離は適宜設定できる。また、図６（Ｃ）のようなスリット９４は、前後方向８におけるいずれか一方の端部のみに形成されてもよい。その場合、載置面５１Ａよりも被記録媒体１５側に突出する端部にスリット９４が形成される方が良く、本実施形態のような収容凹所８０の場合には、後方側にスリット９４が形成される構成が望ましい。
【００４７】
本実施形態では、摩擦パッド９０の向きが間違えられて摩擦パッド９０が収容凹所８０に貼り付けられることを防止するため、図６（Ａ）〜（Ｃ）に示されたように、曲げられて収容凹所８０に貼り付けられる前の状態において、厚み方向に沿う回転対称軸Ｌ周りに摩擦パッド９０が１８０回転対称となるようにスリット９４が形成されている。摩擦パッド９０の方向性をなくすことで、製造の際の作業効率を高めることができ、且つ、方向を間違えて給紙カセット１４に摩擦パッド９０が取り付けられる作業ミスを無くすことができる。なお、１８０度回転対称とならないように摩擦パッド９０及びスリット９４を形成することも、もちろん可能である。例えば、既に曲げられ形状で摩擦パッド９０が形成される。
【００４８】
［画像記録装置１０の動作］
給紙カセット１４がプリンタ筐体１１に挿入されると、アーム２２が後壁５３と当接することで給送ローラ２３が一旦後壁５３よりも上方まで持ち上げられ、後壁５３を乗り越え、その後、アーム２２が本体５０の右の側壁５２に設けられた傾斜面５２Ａに摺接することで給送ローラ２３が下方に移動し、給送ローラ２３が給紙カセット１４の載置面５１Ａに載置された被記録媒体１５に当接する。
【００４９】
給送ローラ２３が駆動部により回転されると、被記録媒体１５が後方に向かって送り出される。被記録媒体１５が送り出される際において、最も下にある被記録媒体１５は、摩擦パッド９０との間に働く静止摩擦力により、上に積み重ねられた被記録媒体１５が送り出される際に作用する力により一緒に送り出されることがない。この作用する力とは、摩擦力や静電気による力などである。摩擦パッド９０により、分離突片５３Ａで分離できないような枚数の被記録媒体１５が給送ローラ２３により送り出されることが防止される。
【００５０】
ところで、全ての被記録媒体１５が給送されると、給送ローラ２３が摩擦パッド９０と直接接触した状態で回転する。本実施形態では、摩擦パッド９０に形成されたスリット９４が、給送方向と同じ前後方向８に沿って形成されていることから、スリット９４の縁に接触した状態で給送ローラ２３が回転しても、給送ローラ２３がスリット９４によってできたエッジに引っ掛かったり、エッジにおいて摩擦パッド９０が削れたりすることがない。
【００５１】
［本実施形態の効果］
本実施形態では、スリット９４が設けられることで、内部応力が摩擦パッド９０全体に作用することを防止でき、その結果、摩擦パッド９０全体が給紙カセット１４から剥がれることを防止できる。また、スリットが給送ローラ２３の回転中心軸線に沿って延びるように形成され、収容凹所８０の周壁とパッドとの間にパッドが変形できる隙間を設け、パッドの変形により被記録媒体１５がパッドに張り付くことを抑制する従来技術とは異なり、収容凹所８０の周壁で摩擦パッド９０を位置決めできるから、被記録媒体１５がない状態において給送ローラ２３から受ける力により、摩擦パッド９０が底５１から剥がれる虞を従来技術よりも低減することができる。
【００５２】
また、スリットが給送ローラ２３の回転中心軸線に沿って延びるように形成された従来技術においては、全ての被記録媒体１５が送り出されて給送ローラ２３がパッドに当接する場合に、スリットにより形成されたエッジにおいてパッドが給送ローラ２３で削られるが、本実施形態では、スリット９４が、被記録媒体１５が送り出される給送方向に沿って伸びるように形成されているから、摩擦パッド９０の削れを抑制することができる。
【００５３】
また、例えばスリット９４を細長い隙間とすることで、被記録媒体１５と当接面９３との間に空気が入り込み易くなり、被記録媒体１５が摩擦パッド９０に張り付くことを抑制する効果が期待できる。
【００５４】
また、本実施形態では、給紙カセット１４が引き出される側の端である前端が載置面５１Ａよりも下方に位置するように摩擦パッド９０は本体５０に貼り付けられているから、前方より被記録媒体１５を給紙カセット１４に補給する際において、被記録媒体１５が摩擦パッド９０に引っ掛かることを防止することができる。
【００５５】
本実施形態では、載置部材である給紙カセット１４が引き出し可能に設けられた構成が説明されたが、載置部材がプリンタ筐体１１に固定された構成であってもよい。
【００５６】
また、本実施形態では、給送ローラ２３が上下に変位可能に設けられた構成が説明されたが、給紙カセット１４が上下に変位可能に設けられ、給紙カセット１４が上下に変位することで給送ローラ２３が載置面５１Ａに載置された被記録媒体１５又は摩擦パッド９０に当接する構成が採用されてもよい。
【００５７】
また、本実施形態では、収容凹所８０の周壁で摩擦パッド９０を位置決めする構成が説明されたが、収容凹所８０形状は、摩擦パッド９０を収容できる形状であればよい。
【００５８】
また、本実施形態では、収容凹所８０の内底面８１Ａが載置面５１Ａに沿い、収容凹所８０の内底面８２Ａが載置面５１Ａに対して傾斜する構成が説明されたが、例えば、内底面８１Ａ及び内底面８２Ａが連続した湾曲面に形成された構成が採用されてもよい。この構成が採用された場合、摩擦パッド９０は湾曲した形状で内底面８１Ａ及び内底面８２Ａに貼り付けられる。
【００５９】
また、本実施形態では、被記録媒体１５を補給する際に被記録媒体１５が摩擦パッド９０に引っ掛からないように、摩擦パッド９０を曲げて収容凹所８０に貼り付ける構成が説明されたが、例えば、載置面５１Ａに対して傾斜する傾斜面を形成する凸部を給紙カセット１４の底５１に設けることで、摩擦パッド９０を曲げずに収容凹所８０に貼り付けた構成とすることもできる。被記録媒体１５は、先端が上記傾斜面を滑ることで摩擦パッド９０を乗り越える。摩擦パッド９０を曲げないから、摩擦パッド９０の剥がれを抑制できる効果を更に高めることができる。
【００６０】
また、本実施形態では、摩擦パッド９０を収容凹所８０に収容することで、摩擦パッド９０の位置決めを行い、摩擦パッド９０で被記録媒体１５が引っ掛かることを防止したが、摩擦パッド９０を底５１の載置面５１Ａに直接貼り付ける構成とすることもできる。
【００６１】
また、本実施形態では、摩擦パッド９０を底５１に貼り付ける構成が説明されたが、摩擦パッド９０は、いわゆる一体成型で本体５０と一体で形成することもできる。
【符号の説明】
【００６２】
１１・・・プリンタ筐体（筐体）
１４・・・給紙カセット（載置部材）
２３・・・給送ローラ
４０・・・記録部
５０・・・本体
５１Ａ・・載置面
８０・・・収容凹所（凹部）
８１Ａ・・内底面（第１面）
８２Ａ・・内底面（第１面）
９０・・・摩擦パッド
９１・・・後端部（第２端部）
９２・・・前端部（第１端部）
９４・・・スリット
【図１】
0005533522.tif 000002
【図２】
0005533522.tif 000003
【図３】
0005533522.tif 000004
【図４】
0005533522.tif 000005
【図５】
0005533522.tif 000006
【図６】
0005533522.tif 000007